(57)【要約】【課題】視聴者にとって視聴しやすい速度でコンテンツ再生を行う。【解決手段】コンテンツ再生装置１０は、視聴者の操作によりページ送りがされたコンテンツについて、ページごとの視聴時間の長さを記録する。そして、コンテンツ再生装置１０は、このページごとの視聴時間の長さに応じて、コンテンツのページそれぞれのページ送り時間を設定する。その後、コンテンツ再生装置１０は、設定された当該コンテンツのページそれぞれのページ送り時間に従い、当該コンテンツの自動ページ送りを行う。【選択図】図１
2015095027.tif 000002
【特許請求の範囲】
【請求項１】
ユーザの指示入力に基づきページ送りがされたコンテンツについて、ページごとの視聴時間を計測し、記録する視聴時間記録部と、
前記記録したページごとの視聴時間の長さに応じて、前記コンテンツのページそれぞれのページ送り時間を設定するページ送り時間設定部と、
前記設定された当該コンテンツのページそれぞれのページ送り時間に従い、当該コンテンツの自動ページ送りを行うページ送り部とを備えることを特徴とするコンテンツ再生装置。
【請求項２】
前記ページ送り時間設定部は、
前記計測したページごとの視聴時間の長さを複数段階に分類し、前記分類に応じたページ送り時間を設定する請求項１に記載のコンテンツ再生装置。
【請求項３】
ユーザの指示入力に基づきページ送りがされたコンテンツについて、ページごとの視聴時間を計測し、記録するステップと、
前記記録したページごとの視聴時間の長さに応じて、前記コンテンツのページそれぞれのページ送り時間を設定するステップと、
前記設定された当該コンテンツのページそれぞれのページ送り時間に従い、当該コンテンツの自動ページ送りを行うステップとをコンテンツ再生装置が実行することを特徴とするコンテンツ再生方法。
【請求項４】
ユーザの指示入力に基づきページ送りがされたコンテンツについて、ページごとの視聴時間を計測し、記録するステップと、
前記記録したページごとの視聴時間の長さに応じて、前記コンテンツのページそれぞれのページ送り時間を設定するステップと、
前記設定された当該コンテンツのページそれぞれのページ送り時間に従い、当該コンテンツの自動ページ送りを行うステップとをコンピュータに実行させることを特徴とするコンテンツ再生プログラム。
【発明の詳細な説明】
【技術分野】
【０００１】
本発明は、コンテンツ再生装置、コンテンツ再生方法、および、コンテンツ再生プログラムに関する。
【背景技術】
【０００２】
従来、Microsoft-PowerPoint（登録商標）のスライド等、複数のページからなるコンテンツを設定された一定の時間で自動的に連続再生する技術が開示されている（非特許文献１参照）。このような技術によれば、コンテンツの視聴者は、自分でコンテンツのページ送りを行うことなくスライドの視聴をすることができる。
【先行技術文献】
【非特許文献】
【０００３】
【非特許文献１】“PowerPointで自動プレゼンテーションをする方法とは？”、[online]、2007年3月5日、IT情報マネジメント、ITメディア株式会社、[2013年9月17日検索]、インターネット＜ＵＲＬ：http://www.atmarkit.co.jp/im/cbp/serial/hxt/021ppt/ppt.html＞
【発明の概要】
【発明が解決しようとする課題】
【０００４】
しかしながら前記した技術は、例えば、コンテンツ中、視聴者がじっくりと見たいページであっても同じ速度でページ送りが行われるため、かえって視聴しにくい場合もあった。そこで、本発明は前記した問題を解決し、視聴者にとって視聴しやすい速度でコンテンツ再生を行うことを課題とする。
【課題を解決するための手段】
【０００５】
前記した課題を解決するため、本発明は、ユーザの指示入力に基づきページ送りがされたコンテンツについて、ページごとの視聴時間を計測し、記録する視聴時間記録部と、前記記録したページごとの視聴時間の長さに応じて、前記コンテンツのページそれぞれのページ送り時間を設定するページ送り時間設定部と、前記設定された当該コンテンツのページそれぞれのページ送り時間に従い、当該コンテンツの自動ページ送りを行うページ送り部とを備えることを特徴とする。
【発明の効果】
【０００６】
本発明によれば、視聴者にとって視聴しやすい速度でコンテンツ再生を行うことができる。
【図面の簡単な説明】
【０００７】
【図１】図１は、本実施形態のコンテンツ再生装置の処理の一例を示す図である。
【図２】図２は、コンテンツ再生装置の機能ブロック図である。
【図３】図３は、自動ページ再生時間リストの一例を示す図である。
【図４】図４は、自動ページ再生時間リストの作成手順を示すフローチャートである。
【図５】図５は、自動ページ再生時間リストに基づくコンテンツ再生手順を示すフローチャートである。
【図６】図６は、表示装置に表示されるコンテンツのリストの一例を示す図である。
【図７】図７は、コンテンツ再生プログラムを実行するコンピュータを示す図である。
【発明を実施するための形態】
【０００８】
以下、図面を参照しながら、本発明を実施するための形態（実施形態）について説明する。
【０００９】
（概要）
図１は、本実施形態のコンテンツ再生装置の処理の一例を示す図である。図１を参照しつつ、コンテンツ再生装置１０の処理の概要を説明する。以下の説明において、コンテンツは、複数のページからなるコンテンツであり、例えば、電子書籍や、電子写真集、スライド等であり、動画または静止画から構成される。また、このコンテンツは音声情報を含んでいてもよい。なお、以下の説明における、自動ページ再生時間とは、再生対象のコンテンツのページごとに、当該ページから次のページへページ送りがされるまでの時間を示す。
【００１０】
図１に示すように、
（１）まず、視聴者のコンテンツの１回目の視聴において、視聴者はコンテンツを視聴する。つまり、視聴者は１回目のコンテンツの視聴において１ページずつページ送りの操作をしながらコンテンツの視聴を行う（マニュアル再生を行う）。そして、コンテンツ再生装置１０は各ページの視聴時間を収集する。
（２）次に、コンテンツ再生装置１０は、収集したコンテンツの各ページの視聴時間に基づき、自動ページ再生時間を各ページに設定する。例えば、コンテンツ再生装置１０は、収集したコンテンツの各ページの視聴時間を数段階に分類し、視聴時間が長かったページほど、自動ページ再生時間を長く設定する。
（３）そして、コンテンツ再生装置１０は、コンテンツの２回目以降の視聴において、当該コンテンツに設定された自動ページ再生時間に基づき、コンテンツの自動ページ再生を行う。また、コンテンツ再生装置１０は、視聴者の指示に応じてマニュアル再生を行う。
【００１１】
このようにすることで、コンテンツ再生装置１０は、コンテンツの視聴者の各ページの視聴時間に基づき、当該コンテンツの自動ページ送りを行う。つまり、視聴者が過去に視聴したコンテンツについて自動ページ送りで視聴するとき、コンテンツ再生装置１０は視聴時間が長かったページについてはゆっくりとページ送りを行い、視聴時間が短かったページについては速い速度でページ送りを行う。その結果、コンテンツ再生装置１０は視聴者にとって視聴しやすいペースでコンテンツの自動ページ送りを行うことができる。
【００１２】
（構成）
次に、図２を用いて、図１に示したコンテンツ再生装置１０の構成を詳細に説明する。図２は、コンテンツ再生装置の機能ブロック図である。このコンテンツ再生装置１０には、液晶モニタ等の表示装置２０や、キーボードやマウス等の入力装置３０が接続される。なお、この表示装置２０や入力装置３０はコンテンツ再生装置１０の一部として装備されていてもよい。
【００１３】
コンテンツ再生装置１０は、入出力部１１、制御部１２、記憶部１３を備える。
【００１４】
入出力部１１は、外部装置（表示装置２０、入力装置３０等）との入出力インタフェースを司る。
【００１５】
制御部１２は、コンテンツ再生装置１０全体の制御を司る。制御部１２は、再生部１２１、視聴時間記録部１２４、自動ページ送り時間設定部１２５を備える。
【００１６】
再生部１２１は、記憶部１３に記憶されたコンテンツを再生する。再生部１２１は、コンテンツ再生部１２２、自動ページ送り部１２３を備える。
【００１７】
コンテンツ再生部１２２は、再生対象のコンテンツについて、入出力部１１経由で入力されたページ送りの指示に基づき、ページ送りを行い（マニュアル再生を行い）、再生したページを表示装置２０へ表示する。例えば、コンテンツ再生部１２２は、入出力部１１経由で、次のページへのページ送りの指示が入力されたとき、現在再生しているコンテンツのページの次のページを再生し、表示装置２０へ表示する。
【００１８】
自動ページ送り部１２３は、再生対象のコンテンツについて、自動ページ送りを行い、再生したページを表示装置２０へ表示する。自動ページ送り部１２３は、自動ページ再生時間リスト（詳細は後記）に当該コンテンツの自動ページ再生時間が設定されている場合、この設定された自動ページ再生時間に従い、ページ送りを行う。また、自動ページ再生時間リスト（詳細は後記）に当該コンテンツの自動ページ再生時間が設定されていない場合、自動ページ送り部１２３は、初期設定された自動ページ再生時間で自動ページ送りを行う。
【００１９】
視聴時間記録部１２４は、コンテンツがマニュアル再生されたときの、各ページの視聴時間を計測し、その計測結果を記憶部１３の視聴時間リストに記録する。
【００２０】
自動ページ送り時間設定部１２５は、視聴時間リストに示される各ページの視聴時間に基づき、各ページの自動ページ再生時間を設定する。自動ページ送り時間設定部１２５は、設定した自動ページ再生時間を記憶部１３の自動ページ再生時間リストに記録する。図３は、自動ページ再生時間リストの一例を示す図である。図３に示す自動ページ再生時間リストにおいて、コンテンツＡの１ページ目の自動ページ再生時間は１秒であり、２ページ目の自動ページ再生時間は５秒であることを示す。
【００２１】
この自動ページ再生時間リストは、自動ページ送り部１２３がコンテンツの各ページの自動ページ送りをする際に参照される。
【００２２】
記憶部１３は、再生対象のコンテンツを記憶する。また、記憶部１３は、視聴時間リスト、自動ページ再生時間リストを記憶する領域を備える。視聴時間リストは、コンテンツのページごとに、当該ページの視聴時間を示した情報である。自動ページ再生時間リストは、自動ページ送りの対象となっているコンテンツのページごとに、当該ページの自動ページ再生時間を示した情報である。
【００２３】
このようなコンテンツ再生装置１０によれば、コンテンツの自動ページ送りを視聴者にとって視聴しやすいペースで行うことができる。
【００２４】
（処理手順）
次に、図４を用いてコンテンツ再生装置１０の処理手順を説明する。図４は、自動ページ再生時間リストの作成手順を示すフローチャートである。なお、コンテンツ再生装置１０の記憶部１３には、予め再生対象のコンテンツのリスト（図示省略）が記憶されているものとする。
【００２５】
コンテンツ再生装置１０は、入力装置３０等から視聴者からコンテンツの再生指示を受け付けると、再生可能なコンテンツのリストを表示装置２０へ表示する（Ｓ１１）。その後、コンテンツ再生装置１０が、入力装置３０等から、再生対象のコンテンツの選択入力を受け付けると（Ｓ１２）、コンテンツ再生部１２２は、選択されたコンテンツの再生を開始する（Ｓ１３）。そして、視聴時間記録部１２４は、選択されたコンテンツの各ページの視聴時間の計測を開始する（Ｓ１４）。
【００２６】
Ｓ１４の後、コンテンツ再生部１２２は、入出力部１１経由で、ページ送りの指示入力を受け付けると（Ｓ１５でＹｅｓ）、コンテンツの次のページを再生する（Ｓ１６）。一方、まだページ送りの指示入力がない場合（Ｓ１５でＮｏ）、Ｓ１５へ戻り、ページ送りの指示入力を待つ。Ｓ１６の後、視聴時間記録部１２４は、再生したページの視聴時間を視聴時間リストに記録する（Ｓ１７）。
【００２７】
Ｓ１７の後、コンテンツ再生部１２２が当該コンテンツの最終ページまで再生を完了すると（Ｓ１８でＹｅｓ）、自動ページ送り時間設定部１２５は、視聴時間リストを参照して、当該コンテンツの各ページの自動ページ再生時間を決定し、自動ページ再生時間リストを作成する（Ｓ１９）。一方、まだ当該コンテンツの最終ページまでの再生を完了していなければ（Ｓ１８でＮｏ）、Ｓ１５へ戻る。
【００２８】
なお、自動ページ送り時間設定部１２５は、自動ページ再生時間について、コンテンツのうち視聴時間が長かったページについては、それに応じて自動ページ再生時間を長く設定する。また、自動ページ送り時間設定部１２５は、視聴時間が短かったページについては、それに応じて自動ページ再生時間も短く設定する。
【００２９】
以上の処理により、コンテンツ再生装置１０は、自動ページ再生時間リストを作成する。
【００３０】
次に、図５を用いて、自動ページ再生時間リストに基づくコンテンツ再生手順について説明する。図５は、自動ページ再生時間リストに基づくコンテンツ再生手順を示すフローチャートである。
【００３１】
コンテンツ再生装置１０は、入力装置３０等から視聴者からコンテンツの再生指示を受け付けると、再生可能なコンテンツのリストを表示装置２０へ表示する（Ｓ２１）。その後、コンテンツ再生装置１０が、入力装置３０等から、再生対象のコンテンツ、および、当該コンテンツの自動ページ送りをするか否かの選択入力を受け付ける（Ｓ２２）。ここで、受け付けた選択入力が、コンテンツの自動ページ送りをする旨の選択入力であれば（Ｓ２３でＹｅｓ）、自動ページ送り部１２３は、Ｓ２２で選択入力が行われたコンテンツの各ページについて、自動ページ再生時間リストに示される各ページの自動ページ再生時間に基づき、自動ページ送りを行う（Ｓ２４）。そして、コンテンツの最終ページまでの自動ページ送りを完了すると処理を終了する。一方、Ｓ２２で受け付けた選択入力が自動ページ送りをする旨の選択入力でなければ（Ｓ２３でＮｏ）、図４のＳ１３以降と同様の処理を行う。
【００３２】
このようにすることで、コンテンツ再生装置１０は、自動ページ再生時間リストに基づく自動ページ送りを行うことができる。
【００３３】
なお、自動ページ送り部１２３により、コンテンツの自動ページ送りがされている際に、マニュアル再生（視聴者のページ送りの指示入力に基づくページ送り）の指示入力がされたとき、コンテンツ再生部１２２は、ユーザの指示入力に基づくページ送りをするようにしてもよい。このようにすることで、自動ページ再生時間リストに基づく自動ページ送りがされた後も、視聴者の所望する速度でコンテンツの各ページの視聴をすることができる。なお、このコンテンツについてマニュアル再生がされた場合、マニュアル再生がされたページの視聴時間に基づき、自動ページ送り時間設定部１２５において、自動ページ再生時間リストにおける当該ページの自動ページ再生時間を更新するようにしてもよい。
【００３４】
なお、前記したＳ２１で表示されるコンテンツのリストに、各コンテンツに対し自動ページ再生時間が設定されているか否かの情報を含めてもよい（図６参照）。また、自動ページ再生時間が設定されていないコンテンツについて、自動ページ送りをする旨の選択入力を受け付けた場合、自動ページ送り部１２３は、初期設定された自動ページ再生時間に基づき、自動ページ送りを行うようにしてもよい。
【００３５】
また、自動ページ送り時間設定部１２５は、コンテンツの各ページの自動ページ再生時間を決定する際、例えば、以下のようにして決定する。（１）視聴時間が１０秒未満のページは、自動ページ再生時間を１秒とする。（２）視聴時間が１０秒以上、２０秒未満のページは、自動ページ再生時間を５秒とする。（３）視聴時間が２０秒以上のページは、自動ページ再生時間を１５秒とする。
【００３６】
このように自動ページ送り時間設定部１２５は、ページごとの視聴時間の長さを複数段階に分類し、この分類に応じたページ送り時間を設定する。ここで、自動ページ送り時間設定部１２５は、コンテンツの各ページの視聴時間の長さに応じて、各ページの自動ページ再生時間に所定値以上の差を設けるようにすることで、例えば、視聴者が比較的短い時間で視聴したページ（短時間視聴ページ）については、短い時間でページ送りがされる一方、比較的長い時間かけて視聴したページについては、かなり長時間かけてページ送りがされる。その結果、当該ページについて短時間で視聴したか、長時間かけて視聴したかの記憶を視聴者に想起させやすくなる。
【００３７】
例えば、視聴者が、自動ページ送りによりコンテンツを視聴している際、次のページへの自動ページ送りがなかなかされない状態のとき、つまり、当該ページの自動ページ再生時間が長時間であるとき、視聴者は当該ページについて、時間をかけてじっくり視聴した記憶が想起される。よって、視聴者に、当該ページにおいて、本来長時間かけて視聴すべき箇所であるが、見落としていた箇所等を想起させることができる。一方、視聴者が、自動ページ送りによりコンテンツを視聴している際、すぐに次のページへの自動ページ送りがされたとき、つまり、当該ページの自動ページ再生時間が短時間であるとき、当該ページにはじっくり視聴すべき箇所はなかったことを想起させることができる。その結果、視聴者は安心して次のページの視聴へ移ることができる。
【００３８】
なお、自動ページ送り時間設定部１２５は、前記したようにページごとの視聴時間の長さを複数段階に分類して、自動ページ再生時間を決定してもよいし、ページごとの視聴時間の長さに比例して、自動ページ再生時間を決定してもよい。
【００３９】
（プログラム）
また、上記実施形態に係るコンテンツ再生装置１０が実行する処理をコンピュータが実行可能な言語で記述したプログラムを作成することもできる。この場合、コンピュータがプログラムを実行することにより、上記実施形態と同様の効果を得ることができる。さらに、かかるプログラムをコンピュータ読み取り可能な記録媒体に記録して、この記録媒体に記録されたプログラムをコンピュータに読み込ませて実行することにより上記実施形態と同様の処理を実現してもよい。以下に、コンテンツ再生装置１０と同様の機能を実現するコンテンツ再生プログラムを実行するコンピュータの一例を説明する。
【００４０】
図７は、コンテンツ再生プログラムを実行するコンピュータを示す図である。図７に示すように、コンピュータ１０００は、例えば、メモリ１０１０と、ＣＰＵ１０２０と、ハードディスクドライブインタフェース１０３０と、ディスクドライブインタフェース１０４０と、シリアルポートインタフェース１０５０と、ビデオアダプタ１０６０と、ネットワークインタフェース１０７０とを有する。これらの各部は、バス１０８０によって接続される。
【００４１】
メモリ１０１０は、ＲＯＭ（Read  Only  Memory）１０１１およびＲＡＭ１０１２を含む。ＲＯＭ１０１１は、例えば、ＢＩＯＳ（Basic  Input  Output  System）等のブートプログラムを記憶する。ハードディスクドライブインタフェース１０３０は、ハードディスクドライブ１０９０に接続される。ディスクドライブインタフェース１０４０は、ディスクドライブ１１００に接続される。ディスクドライブ１１００には、例えば、磁気ディスクや光ディスク等の着脱可能な記憶媒体が挿入される。シリアルポートインタフェース１０５０には、例えば、マウス１１１０およびキーボード１１２０が接続される。ビデオアダプタ１０６０には、例えば、ディスプレイ１１３０が接続される。
【００４２】
ここで、図７に示すように、ハードディスクドライブ１０９０は、例えば、ＯＳ１０９１、アプリケーションプログラム１０９２、プログラムモジュール１０９３およびプログラムデータ１０９４を記憶する。上記実施形態で説明した各テーブルは、例えばハードディスクドライブ１０９０やメモリ１０１０に記憶される。
【００４３】
また、コンテンツ再生プログラムは、例えば、コンピュータ１０００によって実行される指令が記述されたプログラムモジュールとして、ハードディスクドライブ１０９０に記憶される。具体的には、上記実施形態で説明したコンテンツ再生装置１０が実行する各処理が記述されたプログラムモジュールが、ハードディスクドライブ１０９０に記憶される。
【００４４】
また、コンテンツ再生プログラムによる情報処理に用いられるデータは、プログラムデータとして、例えば、ハードディスクドライブ１０９０に記憶される。そして、ＣＰＵ１０２０が、ハードディスクドライブ１０９０に記憶されたプログラムモジュール１０９３やプログラムデータ１０９４を必要に応じてＲＡＭ１０１２に読み出して、上述した各手順を実行する。
【００４５】
なお、コンテンツ再生プログラムに係るプログラムモジュール１０９３やプログラムデータ１０９４は、ハードディスクドライブ１０９０に記憶される場合に限られず、例えば、着脱可能な記憶媒体に記憶されて、ディスクドライブ１０４１等を介してＣＰＵ１０２０によって読み出されてもよい。あるいは、コンテンツ再生プログラムに係るプログラムモジュール１０９３やプログラムデータ１０９４は、ＬＡＮ（Local  Area  Network）やＷＡＮ（Wide  Area  Network）等のネットワークを介して接続された他のコンピュータに記憶され、ネットワークインタフェース１０７０を介してＣＰＵ１０２０によって読み出されてもよい。
【符号の説明】
【００４６】
１０    コンテンツ再生装置
１１    入出力部
１２    制御部
１３    記憶部
２０    表示装置
３０    入力装置
１２１  再生部
１２２  コンテンツ再生部
１２３  自動ページ送り部
１２４  視聴時間記録部
１２５  自動ページ送り時間設定部
【図１】
2015095027.tif 000003
【図２】
2015095027.tif 000004
【図３】
2015095027.tif 000005
【図４】
2015095027.tif 000006
【図５】
2015095027.tif 000007
【図６】
2015095027.tif 000008
【図７】
2015095027.tif 000009